(57)【特許請求の範囲】
【請求項１】
フィルム体により紙製衛生物品を複数個包装する包装袋であって、
前記フィルム体が左右方向にガセット折りされた包装袋の上部をシールすることで形成される取手部を有し、
前記取手部は、
前記ガセット折りされた前記フィルム体を有する左右一対のガセット折り込み部と、
左右方向の両端部から各々前記ガセット折りの折り方向に沿って中央に至る途中まで設けられたミシン目と、
前記ガセット折り込み部よりも当該取手部の中央側に設けられ、前記フィルム体がシー
ルされてなる中央シール部と、を備え、
前記中央シール部は、ヒートシール加工により楕円環状に接合された楕円環部を有し、
前記楕円環部の上部及び下部には、前記折り方向に直交する方向に沿って、前記楕円環部の幅と同等の長さを有する切れ込み又はミシン目が設けられ、
前記楕円環部の内側部には、切れ込み又はミシン目が設けられていないことを特徴とする包装袋。
【請求項２】
前記楕円環部の上部には、前記折り方向に直交する方向に沿って、前記楕円環部の幅と同等の長さを有する切れ込みが設けられ、
前記楕円環部の下部には、前記折り方向に直交する方向に沿って、前記楕円環部の幅と同等の長さを有するミシン目が設けられ、
前記楕円環部の内側部には、切れ込み又はミシン目が設けられていないことを特徴とする請求項１に記載の包装袋。
【請求項３】
前記ガセット折りの折り方向に沿ったミシン目の長さは、前記ガセット折り込み部の長さよりも長いことを特徴とする請求項１又は２に記載の包装袋。
【請求項４】
前記取手部を形成する前記フィルム体の内面又は外面を覆う補強フィルム体が設けられてなることを特徴とする請求項１〜３の何れか一項に記載の包装袋。
【請求項５】
前記中央シール部にシール部補強フィルム体が設けられてなることを特徴とする請求項１〜４の何れか一項に記載の包装袋。
【発明の詳細な説明】
【技術分野】
【０００１】
本発明は、フィルム体で、例えば、トイレットペーパーなどのロール紙又はティッシュペーパー用カートン等の紙製衛生物品を段積みして包装した包装袋に係り、特にその取手部の構造に関する。
【背景技術】
【０００２】
従来、トイレットペーパー、ペーパータオルなどのロール紙を段積みしてポリエチレンフィルム等で包装した包装袋が知られている。
図５に、従来の包装袋５０の概略構成を示す。
図５に示すように、包装袋５０の取手部５１には、長円形のミシン目５２が２つ設けられており、このミシン目を破断することで指掛穴５３が２つ設けられるようになっている。また、指掛穴５３の周辺にはフィルム体が裂けないように補強フィルム体５４が設けられている。
【０００３】
そして、消費者は、指掛穴５３に指を通して、包装袋５０を持ち運びする。しかし、強度上の問題から指掛穴５３が小さいため、指掛穴５３に指が入りにくく、包装袋５０を持ちづらいという問題があった。
【０００４】
また、消費者が指掛穴５３に指を通した状態であると、包装袋５０の荷重が消費者の指にかかる。このため、長時間、指掛穴５３に指を通していると、消費者の指が痛くなってしまうという問題があった。
【０００５】
上述の問題を解決するための一例として、取手部に縦方向の２条の切込み線を入れておき、包装袋の運搬時に切れ込み線に沿ってフィルムを裂くことで、分離された左右の取手に手指や腕を通すことが可能となる技術が知られている（例えば、特許文献１参照）。ここで、特許文献１の包装袋６０の一例を図６に示す。図６（ａ）に示すように、取手部６１は、ガセット折りされて構成される。
【０００６】
また、図６（ｂ）に示すように、取手部６１には、長手方向の中央から等間隔の位置に、幅方向に沿って２条の切込線６２が設けられている。消費者が包装袋６０を持ち運ぶときは、取手部６１の切込線６２に沿って取手部６１の中央部分が細帯状に切り開かれる。そうすると、図６（ｃ）に示すように、切り開かれた折返片６３は包装袋６０の前面または後面に垂れ下がる。これにより、消費者は、折返片６３で分離された手提げ状の取手部６１Ａ、６１Ｂに下腕又は数本の指を通すことで包装袋６０の持ち運びが可能となる。
【先行技術文献】
【特許文献】
【０００７】
【特許文献１】実用新案登録第３１１５６２１号公報
【発明の概要】
【発明が解決しようとする課題】
【０００８】
しかし、以上の従来技術にあってもさらに次のような問題があった。
特許文献１に記載の発明にあっては、取手部６１の縦幅（図６（ａ）の幅ｄ１参照）が狭いと、腕を通せる程度の手提げ状の取手部６１Ａ、６１Ｂ（図６（ｃ）参照）を形成することができない。腕を通せる程度の手提げ状の取手部６１Ａ、６１Ｂを形成するには、取手部６１の縦幅を広くする必要があるため、コストアップの要因となる。
【０００９】
本発明は、上記問題に鑑みてなされたものであって、コストアップすることなく、包装袋を持ち運ぶ際の消費者の利便性を向上させることを課題とする。
【課題を解決するための手段】
【００１０】
以上の課題を解決するための請求項１に記載の発明は、フィルム体により紙製衛生物品を複数個包装する包装袋であって、
前記フィルム体が左右方向にガセット折りされた包装袋の上部をシールすることで形成される取手部を有し、
前記取手部は、
前記ガセット折りされた前記フィルム体を有する左右一対のガセット折り込み部と、
左右方向の両端部から各々前記ガセット折りの折り方向に沿って中央に至る途中まで設けられたミシン目と、
前記ガセット折り込み部よりも当該取手部の中央側に設けられ、前記フィルム体がシールされてなる中央シール部と、を備え、
前記中央シール部は、ヒートシール加工により楕円環状に接合された楕円環部を有し、
前記楕円環部の上部及び下部には、前記折り方向に直交する方向に沿って、前記楕円環部の幅と同等の長さを有する切れ込み又はミシン目が設けられ、
前記楕円環部の内側部には、切れ込み又はミシン目が設けられていないことを特徴とする。
また、請求項２に記載の発明は、請求項１に記載の包装袋において、前記楕円環部の上部には、前記折り方向に直交する方向に沿って、前記楕円環部の幅と同等の長さを有する切れ込みが設けられ、
前記楕円環部の下部には、前記折り方向に直交する方向に沿って、前記楕円環部の幅と同等の長さを有するミシン目が設けられ、
前記楕円環部の内側部には、切れ込み又はミシン目が設けられていないことを特徴とする。
【００１１】
請求項１及び２に記載の発明によれば、消費者が包装袋を持ち運ぶときに、ガセット折りの折り方向に沿ったミシン目に沿ってフィルム体が切り開かれると、ガセット折りされたフィルム体をガセット折り方向に広げることができることとなって、手や腕を十分通すことのできる手提げ状の取手部を形成できる。このため、消費者は、手提げ状の取手部に
手や腕を通すことで、包装袋を楽に持ち運ぶことができる。また、手提げ状の取手部に腕を通すことにより手を空けることができるので、他の買い物袋等を手で持つことが可能となる。このため、包装袋を持ち運ぶ際の消費者の利便性を向上させることができる。
また、取手部の縦幅を変えることなく、手提げ状の取手部を形成できるので、コストアップすることもない。
また、消費者は、手提げ状の取手部を手や腕に通すことができるので、指への痛みを生じることなく、包装袋を運ぶことができる。
また、中央シール部により取手の中央が補強されることとなって、当該包装袋を持ち運ぶ時に包装袋を裂け難くすることができる。
また、中央シール部のヒートシールされた楕円環部にの上部及び下部には、切れ込み又はミシン目が設けられているので、包装袋の開封時には取手部を左右に引っ張ることで包装袋を容易に開封することができる。
【００１２】
請求項３に記載の発明は、請求項１又は２記載の包装袋において、前記ガセット折りの折り方向に沿ったミシン目の長さは、前記ガセット折り込み部の長さよりも長いことを特徴とする。
【００１３】
請求項３に記載の発明によれば、請求項１又は２記載の発明と同様の効果が得られることは無論のこと、特に、ガセット折りの折り方向に沿ったミシン目の長さは、ガセット折り込み部の長さよりも長いので、手提げ状の取手部の大きさをより大きくすることができることとなって、より容易に手や腕を通すことができる。
【００１８】
請求項４に記載の発明は、請求項１〜３の何れか一項に記載の包装袋において、前記取手部を形成する前記フィルム体の内面又は外面を覆う環状の補強フィルム体が設けられてなることを特徴とする。
【００１９】
請求項４に記載の発明によれば、請求項１〜３の何れか一項に記載の発明と同様の効果が得られることは無論こと、特に、取手部を形成するフィルム体の内面又は外面を覆う補強フィルム体が設けられる。このため、ガセット折りの折り方向に沿ったミシン目に沿ってフィルム体が切り開かれると、左右それぞれに２つずつの円環状のフィルム体で構成される手提げ状の取手部が形成される。このため、手提げ状の取手部の強度を上げることが可能となる。
【００２０】
請求項５に記載の発明は、請求項１〜４の何れか一項に記載の包装袋において、前記中央シール部にシール部補強フィルム体が設けられてなることを特徴とする。
【００２１】
請求項５に記載の発明によれば、請求項１〜４の何れか一項に記載の発明と同様の効果が得られることは無論のこと、特に、中央シール部の外側にシール部補強フィルム体がシールされる。これにより、中央シール部の強度を上げることができる。
【発明の効果】
【００２２】
本発明によれば、コストアップすることなく、包装袋を持ち運ぶ際の消費者の利便性を向上させることができる。
【図面の簡単な説明】
【００２３】
【図１】本発明の一実施形態に係る包装袋の斜視図である。
【図２】（ａ）は取手部の平面図である。（ｂ）は取手部の正面図である。
【図３】ガセット折り込み部を広げた状態を示した図である。
【図４】手提げ状の取手部に腕を通した状態を示した図である。
【図５】従来の包装袋の概略構成を示した正面図である。
【図６】（ａ）は従来の包装袋の取手部の平面図である。（ｂ）は従来の包装袋の取手部の正面図である。（ｃ）は、切返片が切り開かれた状態を示す従来の包装袋の取手部近傍の拡大斜視図である。
【発明を実施するための形態】
【００２４】
以下に本発明の一実施形態につき図面を参照して説明する。以下は本発明の一実施形態であって本発明を限定するものではない。
【００２５】
まず、本発明の一実施形態につき、図１及び図２を参照して説明する。
【００２６】
図１に示すように、包装袋１は、紙製衛生物品としてのトイレットペーパー、ペーパータオルなどのロール紙を段積みしてポリエチレンフィルム等（以下、フィルム体と記す）で包装したものであり、ロール紙を収容する袋本体２０と、袋本体２０の上部に設けられた略矩形状の取手部５と、を備えている。
なお、紙製衛生物品としては、トイレットペーパー、ペーパータオルなどのロール紙の他、ティッシュペーパーが収納されたカートン、紙おむつ、吸収性パッド、生理用品などの吸収性物品が含まれる。
【００２７】
この包装袋１は、例えば、筒状のフィルム体２（２ａ〜２ｄ）をガセット折りして、そのフィルム材の上端側と下端側をシールして閉じた袋であり、上端側を閉じた部分の上部が取手部５として形成されている。
より具体的には、包装袋１の上部では、包装袋１の側面のフィルム体２ｃ、２ｄがガセット折りされてなる。該ガセット折りされたフィルム体２ｃ、２ｄと、包装袋１の前後面のフィルム体２ａ、２ｂとは、上部シール部４で接合される。これにより上部シール部４よりも上部分が取手部５を構成する。
なお、筒状フィルムの上端側を閉じて取手部５を形成した包装袋１の袋本体２０に、例えば、１段４個のトイレットペーパーＰを３段積みして収容した後、袋本体２０の下端側の筒状フィルム部分を封止して袋底を形成したものが、トイレットペーパーＰを包装して小売店等で陳列される状態の包装袋１である。  
【００２８】
図２に示すように、取手部５は、ガセット折りされたフィルム体２ｃ、２ｄを有する左右一対のガセット折り込み部６と、取手部５の左右方向の両端部から各々ガセット折りの折り方向に沿って中央に至る途中まで設けられたミシン目７と、ガセット折り込み部６よりも当該取手部５の中央側に設けられ、フィルム体がシールされてなる中央シール部８と、を備えている。
また、取手部５のフィルム体２の内面には、当該取手部５を覆うように環状の補強フィルム体１０（１０ａ〜１０ｄ）が設けられている。
ガセット折り込み部６は、ガセット折りされたフィルム体２ｃ、２ｄｂと、補強フィルム体１０ａ、１０ｂと、折り込み長さＬ１部分のフィルム体２ａ１、２ｂ１及び折り込み長さＬ２部分の補強フィルム体１０ｃ２、１０ｄ２により構成される。
【００２９】
ミシン目７は、フィルム体２ｃ、２ｄがガセット折りされた折り方向（図２（ａ）の矢印Ｄ方向）に、すなわち取手部５の左右方向に沿って、取手部の左右方向の両端部から中央シール部８に至る途中までガセット折り込み部６のフィルム体２および補強フィルム体１０に設けられている。
なお、ミシン目７の取手部５における高さ方向の形成位置は、上部シール部４に近い位置、すなわち、取手部５の下部が望ましい。なぜなら、より幅広の手提げ状の取手部７ａ、７ｂが形成されるからである。
【００３０】
中央シール部８は、取手部の左右方向の中央部のフィルム体２ａ２、２ｂ２、補強フィルム体１０ｃ１、１０ｄ１及びシール部補強フィルム体１１がヒートシール加工により接合されている。
ここで、フィルム体２ａ２、２ｂ２とは、フィルム体２ｃ、２ｄの折り込み長さ（図２（ａ）に示す長さＬ１）部分以外に相当するフィルム体２ａ、２ｂである。
また、補強フィルム体１０ｃ１、１０ｄ１とは、補強フィルム体１０ａ、１０ｂの折り込み長さ（図２（ａ）に示す長さＬ２）部分以外に相当する補強フィルム体１０ｃ、１０ｄのことである。
【００３１】
中央シール部８は、図２（ｂ）に示すように、取手部の高さ方向に長尺の楕円環状の楕円環部８Ｃを有する。楕円環部８Ｃの面積Ｓは、ヒートシール加工により接合されている面積、すなわちヒートシール面積Ｓを示す。
【００３２】
また、中央シール部８には、フィルム体２ｃ、２ｄがガセット折りされた折り方向（図２（ａ）の矢印Ｄ方向）と直交する方向、すなわち取手部５の高さ方向に沿って、切れ込み８Ａと、ミシン目８Ｂとが設けられている。切れ込み８Ａは、中央シール部８の中心部の上部に設けられ、例えば、楕円環部８Ｃの幅と同等の長さを有する。ミシン目８Ｂは、中央シール部８の中心部の下部に設けられ、例えば、楕円環部８Ｃの幅と同等の長さを有する。中央シール部８に、切れ込み８Ａとミシン目８Ｂとが設けられることにより、包装袋１の開封時において、消費者が取手部５を左右に引っ張ることで包装袋１が容易に開封可能となる。
【００３３】
また、中央シール部８の外側にはシール部補強フィルム体１１がフィルム体２ａ、２ｂと一体となってシールされている。このシール部補強用フィルム体１１の左右方向の長さは、中央シール部８の左右方向の長さよりも短い。これは、シール部補強フィルム体１１をガセット折り込み部６にシールすると、後述する手提げ状の取手部７ａ、７ｂを形成できないからである。また、本実施の形態では、図２（ａ）に示すように、シール部補強フィルム体１１を２枚シールする構成としているが、必要に応じた枚数分が中央シール部８の外側にシールされる。  
【００３４】
また、中央シール部８のヒートシール面積Ｓを増やすことで、中央シール部の強度を高めることができる。例えば、左右折返部３ｃを約１ｃｍ外側にすることにより、ヒートシール面積Ｓを増やすことが可能となる。これにより、中央シール部８の強度を高めることができる。
【００３５】
補強フィルム体１０は、取手部５を形成するフィルム体２の内側に設けられたフィルム体のことである。具体的に、補強フィルム体は、フィルム体２ａ、２ｂの内側に設けられた補強フィルム体１０ｃ、１０ｄと、フィルム体２ｃ、２ｄｂの内側に設けられた補強フィルム体１０ａ、１０ｂとにより構成される。
また、補強フィルム体１０（１０ａ〜１０ｄ）は、取手部５を構成するフィルム体２ａ、２ｂ、２ｃ、２ｄの縦幅ｄ２よりも少し細い縦幅ｄ３により構成される。
【００３６】
以下、消費者が包装袋１を購入し、持ち運ぶ際の動作について説明する。
まず、消費者によりミシン目７に沿ってガセット折り込み部６のフィルム体２及び補強フィルム体１０が裂かれる。消費者によりガセット折り込み部６のフィルム体２及び補強フィルム体１０が裂かれると、ガセット折りにより折り込まれたフィルム体２ｃ、２ｄ及び補強フィルム体１０ａ、１０ｂが折り込まれた状態から広げられる。具体的には、折り込まれたフィルム体２ｃ、２ｄ及び補強フィルム体１０ａ、１０Ｂが図２（ｂ）の紙面の左右方向に広げられる。
【００３７】
フィルム体２ｃ、２ｄ及び補強フィルム体１０ａ、１０ｂが広げられると、図３に示すように、手提げ状の取手部７ａ、７ｂが形成される。
手提げ状の取手部７ａは、取手部７１，７２により形成される。取手部７１は、フィルム体２ｃが広げられることで形成された手提げ状の取手部である。取手部７２は、補強フィルム体１０ａが広げられることで形成された手提げ状の取手部である。
また、手提げ状の取手部７ｂは、取手部７３，７４により形成される。取手部７３は、フィルム体２ｄが広げられることで形成された手提げ状の取手部である。取手部７４は、補強フィルム体１０ｂが広げられることで形成された手提げ状の取手部である。
【００３８】
ここで、例えば、折り込み長さＬ１、Ｌ２が約８ｃｍであり、折り込まれたフィルム体の長さＬ３、Ｌ４が約１０ｃｍであったとすると、約１８ｃｍの手提げ状の取手部７ａ、７ｂが形成される。約１８ｃｍの長さであれば、手提げ状の取手部７ａ、７ｂを縦に持ち替えることで、消費者は手提げ状の取手部７ａ、７ｂに腕を通すことが可能となる。  
【００３９】
具体的には、図４に示すように、消費者は、手提げ状の取手部７ａ、７ｂに腕を通すことで、包装袋１を持ち運ぶことが可能となる。また、手提げ状の取手部７ａ、７ｂを手で持つことで、包装袋１を持ち運ぶことも可能となる。
【００４０】
以上、本実施の形態によれば、消費者が包装袋１を持ち運ぶときに、ガセット折り込み部６に設けられたミシン目７に沿ってフィルム体２及び補強フィルム体１０が切り開かれると、ガセット折りされたフィルム体２及び補強フィルム体１０をガセット折り方向に広げることができることとなって、手や腕を十分通すことのできる手提げ状の取手部７ａ、７ｂを形成できる。このため、消費者は、手提げ状の取手部７ａ、７ｂに手や腕を通すことで、包装袋１を楽に持ち運ぶことができる。また、手提げ状の取手部７ａ、７ｂに腕を通すことにより手を空けることができるので、他の買い物袋等を手で持つことが可能となる。このため、包装袋１を持ち運ぶ際の消費者の利便性を向上させることができる。
また、取手部５の縦幅を変えることなく、手提げ状の取手部７ａ、７ｂを形成できるので、コストアップすることもない。
また、消費者は、手提げ状の取手部７ａ、７ｂを手や腕に通すことができるので、指への痛みを生じることなく、包装袋１を運ぶことができる。
【００４１】
また、ミシン目７の長さは、ガセット折り込み部６の長さよりも長いので、手提げ状の取手部７ａ、７ｂの大きさをより大きくすることができることとなって、より容易に手や腕を通すことができる。
【００４２】
また、中央シール部８により取手部５の中央が補強されることとなって、包装袋１を持ち運ぶ時に包装袋１を裂け難くすることができる。
【００４３】
また、中央シール部８には、縦方向に切れ込み又はミシン目が設けられているので、包装袋の開封時には取手部５を左右に引っ張ることで包装袋１を容易に開封することができる。
【００４４】
また、取手部５を形成するフィルム体の内面又は外面を覆う補強フィルム体１０ａ〜１０ｄが設けられる。このため、ミシン目７に沿ってフィルム体２及び補強フィルム体１０が切り開かれると、左右それぞれに２つずつの円環状のフィルム体で構成される手提げ状の取手部が形成される。このため、手提げ状の取手部７ａ、７ｂの強度を上げることが可能となる。
【００４５】
また、中央シール部８の外側にシール部補強フィルム体１１がシールされる。これにより、中央シール部８の強度を上げることが可能となる。
【００４６】
また、包装袋１の開封後、包装袋１の保管時において、手提げ状の取手部７ａ、７ｂを結ぶことにより、手提げ状の取手部７ａ、７ｂを、包装袋１を持つための紐代わりとすることができる。
【００４７】
なお、上記実施の形態における記述は、本発明に係る包装袋の一例であり、これに限定されるものではない。      
【００４８】
例えば、上記実施の形態では、紙製衛生物品としてロールペーパーを複数包装する例で説明したが、紙製衛生物品として、ティッシュペーパーカートン等の箱状物としてもよいし、吸収性物品でもよい。
【００４９】
また、上記実施の形態では、取手部５のフィルム体２の内面に補強フィルム体１０が設けられているが、取手部５のフィルム体２の外面に補強フィルム体１０を設けることとしてもよい。
【００５０】
また、上記実施の形態では、中央シール部８の外側に補強フィルム体１１が設けられているが、中央シール部８の内側、例えば、フィルム体２ａ、２ｂの内側にシール部補強フィルム体１１を設けることとしてもよい。
【００５１】
また、フィルム体２として、ポリエチレンフィルムを例示したが、ポリスチレンフィルム、ポリプロピレンフィルム等又はこれらの積層フィルムであってもよい。また、紙層や不織布層が積層された積層フィルムであってもよい。
同様に、補強フィルム体１０、シール部補強フィルム体１１も、上記例示した材料から構成されるが、必ずしも全てが同じ材料から構成されていなくてもよい。
【符号の説明】
【００５２】
１  包装袋
２（２ａ，２ｂ，２ｃ，２ｄ）  フィルム体
３ｃ  左右折返部
４  シール部
５  取手部
６  ガセット折り込み部
７  ミシン目
８  中央シール部
８Ａ  切れ込み
８Ｂ  ミシン目
１０（１０ａ，１０ｂ，１０ｃ，１０ｄ）  補強フィルム体
１１  シール部補強フィルム体
Ｐ  トイレットペーパーロール（紙製衛生物品）
【図１】
0005584060.tif 000002
【図２】
0005584060.tif 000003
【図３】
0005584060.tif 000004
【図４】
0005584060.tif 000005
【図５】
0005584060.tif 000006
【図６】
0005584060.tif 000007